(57)【要約】  【課題】複数の調光装置にて複数の調光制御対象を制御することができ、一つの調光装置が操作不能でも、他の調光装置でその代行を可能とし、変更されたデータを各調光装置に素早く反映させる。  【解決手段】複数の調光装置１，１に相互通信用の卓間通信部１４，１４を設け、複数の調光装置１，１の各中央処理部１０が、自己の卓間通信部１４を介して他の調光装置１と通信をし、その他の調光装置１のデータ記憶部１２に記憶されるその調光制御下のデータを同期的に取得して自己のデータ記憶部１２に記憶し、複数の調光装置１，１が備える複数の照明負荷を、複数の調光装置１，１の各々の調光制御下に含めるようにした。【選択図】図１
2005100806.tif 000002
【特許請求の範囲】
【請求項１】
操作入力用のインタフェース部と、調光制御対象を構成する複数の照明負荷の各々に対して少なくとも前記インタフェース部の操作入力により設定される調光レベルの組合せで決まるシーンのデータを各種記憶する記憶部と、前記複数の照明負荷の各々に向けて、対応する調光レベルを含む制御信号を出力する出力部と、前記記憶部に記憶されるデータの編集処理を前記インタフェース部の操作入力に従って実行するとともに、前記インタフェース部の操作入力および前記記憶部に記憶されるデータに基づいて、前記出力部から出力するべき制御信号を生成する処理を実行する処理部とを、それぞれが備える複数の調光装置により構成される調光システムであって、
前記複数の調光装置の各々に相互通信用の通信部を設け、前記複数の調光装置の各処理部が、自己の通信部を介して他の調光装置と通信をし、その他の調光装置の記憶部に記憶されるその調光制御下のデータを同期的に取得して自己の記憶部に記憶し、前記複数の調光装置が備える複数の照明負荷を、前記複数の調光装置の各々の調光制御下に含めることを特徴とする調光システム。
【請求項２】
前記調光装置の記憶部に記憶されるシーンのデータには、当該調光装置の調光制御下にある複数の照明負荷に対する専用シーンのデータと、他の調光装置の調光制御下にある複数の照明負荷と共用される共通シーンのデータとがあることを特徴とする請求項１記載の調光システム。
【請求項３】
前記調光装置の処理部は、当該インタフェース部の操作入力に従って、前記記憶部に記憶される共通シーンのデータの編集処理を実行する場合、他の調光装置におけるその共通シーンの使用状況により前記編集処理を制限することを特徴とする請求項２記載の調光システム。
【請求項４】
前記調光装置のインタフェース部は複数のサブマスタフェーダを含み、これら複数のサブマスタフェーダは、他の調光装置のインタフェース部に含まれる複数のサブマスタフェーダとそれぞれ対応付けられており、
前記調光装置の処理部は、当該調光装置の通信部を介して、他の調光装置のサブマスタフェーダに割り当てられた共通シーンのデータを受信した場合には、その共通シーンのデータを当該調光装置の記憶部に記憶するとともに、その共通シーンを、前記他の調光装置のサブマスタフェーダに対応付けられた当該調光装置のサブマスタフェーダに割り当て、他の調光装置のサブマスタフェーダに割り当てられた専用シーンのデータを受信した場合には、前記他の調光装置のサブマスタフェーダに対応付けられた当該調光装置のサブマスタフェーダには、当該調光装置の専用シーンのみの割当てを許容する
ことを特徴とする請求項３記載の調光システム。
【請求項５】
前記複数の調光装置の各記憶部には、他の調光装置の記憶部に記憶される専用シーンのデータも記憶されることを特徴とする請求項４記載の調光システム。
【請求項６】
前記調光装置の処理部は、当該調光装置のインタフェース部での干渉防止操作入力に応じて、他の調光装置の調光制御下にある複数の照明負荷に対する制御を禁止することを特徴とする請求項１から５のいずれかに記載の調光システム。
【請求項７】
前記調光装置は、一括制御単位のフェーダに、異なる調光制御対象を割り当てることを禁止し、同一の調光制御対象を割り当てることを許容することを特徴とする請求項１から５のいずれかに記載の調光システム。
【請求項８】
請求項１から７のいずれかに記載の調光システムにより実行される調光方法であって、前記複数の調光装置の各処理部が、自己の通信部を介して他の調光装置と通信をし、その他の調光装置の記憶部に記憶されるその調光制御下のデータを同期的に取得して自己の記憶部に記憶し、前記複数の調光装置が備える複数の照明負荷を、前記複数の調光装置の各々の調光制御下に含めることを特徴とする調光方法。
【発明の詳細な説明】
【技術分野】
【０００１】
本発明は、複数の調光装置により構成される調光システムおよび調光方法に関するものである。
【背景技術】
【０００２】
従来、劇場の舞台やテレビスタジオなどでは、複数の照明灯などの照明負荷を使って、その明るさや色を変化させ照明演出を行っている。
【０００３】
図１１にこのような照明演出に使用される従来の調光システムの構成図を示す。図１１の調光システムは、ＭＭＩ部１１、データ記憶部１２、制御信号出力部１３、卓間通信部１４および中央処理部１０により構成される調光装置（主）１と、ＭＭＩ部１１、データ記憶部１２、卓間通信部１４および中央処理部１０により構成される調光装置（副）１と、調光盤３とを備えているとともに、複数の照明負荷によりなる負荷４を備えている。
【０００４】
このような構成の調光システムにおける複数の調光装置（主）１および調光装置（副）１は、同一の調光制御対象に対して同時に使用される。すなわち、調光装置（主）１が調光制御し、調光装置（副）が主となる調光装置（主）１を経由して調光制御するようになっている。
【０００５】
図１２に異なる従来の調光システムの構成図を示す。図１２の調光システムは、ＭＭＩ部１１、データ記憶部１２、制御信号出力部１３および中央処理部１０によりそれぞれ構成される複数の調光装置１，１と、合成器２’と、調光盤３とを備えているとともに、複数の照明負荷によりなる負荷４を備えている。
【０００６】
この調光システムにおける複数の調光装置１，１は、別々の調光制御対象に対して使用されるようになっている。
【０００７】
なお、特許文献１には、シーン再生時に各シーンにおいて、そのチャネルに設定されている制御レベルと、シーン割当て手段によってチャネルが割り当てられているシーンにおいてそのチャネルに対して算出される制御レベルとを、合成して導出する調光装置が開示されている。
【特許文献１】特開平６−１３２０８４号公報
【発明の開示】
【発明が解決しようとする課題】
【０００８】
しかしながら、複数の調光装置を同一の調光制御対象に対して同時に使用する上記調光システムでは、図１１の構成の調光システムにあっては、主となる調光装置が使用不能になった場合に副となる調光装置も使用不能となり、図１２の構成の調光システムにあっては、一方の調光装置で共有データが編集操作（仕込み操作）などで変更された場合に、一方の調光装置における共有データが即時に変更できないという課題がある。
【０００９】
また、複数の調光装置で同時に仕込み操作を行った場合、一方のデータを他方にコピーするので、どちらか一方の仕込み操作が無駄になる問題もある。さらに、各調光装置に完全同一のデータを保持させると、それぞれの調光装置に専用の役割を与えることができない。
【００１０】
さらに、図１１，図１２の構成では、別々の調光制御対象を制御した場合に、どちらの調光装置がどちらの調光制御対象を制御しているのか区別できず、予期しない調光状態になるという問題もある。この問題は、図１３に示すように、複数の調光制御対象をそれぞれ別々に扱う専用の調光装置１，１を設けることにより解決することができる反面、個々の調光装置にて複数の調光制御対象を制御することができない。
【００１１】
本発明は、上記事情に鑑みてなされたものであり、複数の調光装置にて複数の調光制御対象を制御することができるとともに、一つの調光装置が操作不能となったとしても、他の調光装置によりその一つの調光装置の調光制御下にある複数の照明負荷を調光制御することができ、変更されたデータを各調光装置に素早く反映させることができる調光システムおよび調光方法を提供することを目的とする。
【課題を解決するための手段】
【００１２】
上記課題を解決するための請求項１記載の発明は、操作入力用のインタフェース部と、調光制御対象を構成する複数の照明負荷の各々に対して少なくとも前記インタフェース部の操作入力により設定される調光レベルの組合せで決まるシーンのデータを各種記憶する記憶部と、前記複数の照明負荷の各々に向けて、対応する調光レベルを含む制御信号を出力する出力部と、前記記憶部に記憶されるデータの編集処理を前記インタフェース部の操作入力に従って実行するとともに、前記インタフェース部の操作入力および前記記憶部に記憶されるデータに基づいて、前記出力部から出力するべき制御信号を生成する処理を実行する処理部とを、それぞれが備える複数の調光装置により構成される調光システムであって、前記複数の調光装置の各々に相互通信用の通信部を設け、前記複数の調光装置の各処理部が、自己の通信部を介して他の調光装置と通信をし、その他の調光装置の記憶部に記憶されるその調光制御下のデータを同期的に取得して自己の記憶部に記憶し、前記複数の調光装置が備える複数の照明負荷を、前記複数の調光装置の各々の調光制御下に含めることを特徴とする。
【００１３】
この構成では、各調光装置の調光制御下にある複数の照明負荷が、他の調光装置の調光制御下に含められるので、複数の調光装置にて複数の調光制御対象を制御することができるとともに、複数の調光装置のうち、一つの調光装置が操作不能となったとしても、他の調光装置によりその一つの調光装置の調光制御下にある複数の照明負荷を調光制御することができる。また、各調光装置が他の調光装置の記憶部に記憶されるその調光制御下のデータを同期的に取得するので、変更されたデータを各調光装置に素早く反映させることができる。上記効果についてさらに説明すると、例えば、複数の調光装置（図２の例では１Ａまたは１Ｂ）のうち、一つの調光装置（１Ａまたは１Ｂ）で複数の調光制御対象の各々（スタジオＡまたはスタジオＢ）を制御することができる。また、一つの調光装置（例えば１Ａ）で一つの調光制御対象（例えばスタジオＡ）を制御しているとき、他の調光装置（例えば１Ｂ）でその一つの調光制御対象（スタジオＡ）の別の場所の照明を制御することも可能となる。
【００１４】
請求項２記載の発明は、請求項１記載の調光システムにおいて、前記調光装置の記憶部に記憶されるシーンのデータには、当該調光装置の調光制御下にある複数の照明負荷に対する専用シーンのデータと、他の調光装置の調光制御下にある複数の照明負荷と共用される共通シーンのデータとがあることを特徴とする。この構成では、複数の調光装置に共用される共通シーンの役割を明確にすることができる。例えば、複数の調光装置（図２の例では１Ａ，１Ｂ）で同じシーンを再生できる共通シーンがあれば、一つの調光装置で記憶したシーンをどの調光装置でも使用することが可能となる。
【００１５】
請求項３記載の発明は、請求項２記載の調光システムにおいて、前記調光装置の処理部は、当該インタフェース部の操作入力に従って、前記記憶部に記憶される共通シーンのデータの編集処理を実行する場合、他の調光装置におけるその共通シーンの使用状況により前記編集処理を制限することを特徴とする。この構成では、記憶部のデータを基に調光制御されている調光制御対象の明るさが、そのデータによる明るさとは異なる明るさに変化することを防止することができる。例えば、一つの調光装置（図２の例では例えば１Ａ）で再生中のシーンを他の調光装置（１Ｂ）で削除したりレベルを変更すると、予期しない調光状態となるが、一つの調光装置で再生中の共通シーンに対してプロテクトを図ることにより、そのような問題が発生するのを防止することができる。また、一つの調光装置でも他の調光装置でも同じシーンを再生できるため、別の調光装置の再生状況や仕込状況の確認が可能となる。
【００１６】
請求項４記載の発明は、請求項３記載の調光システムにおいて、前記調光装置のインタフェース部は複数のサブマスタフェーダを含み、これら複数のサブマスタフェーダは、他の調光装置のインタフェース部に含まれる複数のサブマスタフェーダとそれぞれ対応付けられており、前記調光装置の処理部は、当該調光装置の通信部を介して、他の調光装置のサブマスタフェーダに割り当てられた共通シーンのデータを受信した場合には、その共通シーンのデータを当該調光装置の記憶部に記憶するとともに、その共通シーンを、前記他の調光装置のサブマスタフェーダに対応付けられた当該調光装置のサブマスタフェーダに割り当て、他の調光装置のサブマスタフェーダに割り当てられた専用シーンのデータを受信した場合には、前記他の調光装置のサブマスタフェーダに対応付けられた当該調光装置のサブマスタフェーダには、当該調光装置の専用シーンのみの割当てを許容することを特徴とする。この構成では、専用シーンと共通シーンに応じた適切なシステム制御が可能となる。
【００１７】
請求項５記載の発明は、請求項４記載の調光システムにおいて、前記複数の調光装置の各記憶部には、他の調光装置の記憶部に記憶される専用シーンのデータも記憶されることを特徴とする。この構成では、複数の調光装置のうちいずれか一つの調光装置の記憶部に記憶されたデータをバックアップすることにより、複数の調光装置の各記憶部に記憶されたデータをバックアップすることができる。また、一つの調光装置の記憶部に対してデータをリストアすることにより、複数の調光装置の各記憶部に対してデータをリストアすることも可能となる。例えば、データのバックアップとして、それぞれの調光装置の専用シーンも共用記憶することにより、一つの調光装置で修理し、データが無くなった場合、別の調光装置を整合するだけで故障前のデータに復元することができる。
【００１８】
請求項６記載の発明は、請求項１から５のいずれかに記載の調光システムにおいて、前記調光装置の処理部は、当該調光装置のインタフェース部での干渉防止操作入力に応じて、他の調光装置の調光制御下にある複数の照明負荷に対する制御を禁止することを特徴とする。この構成では、同一の照明負荷が複数の調光装置により制御され、その制御に干渉が生じるのを防止することができる。例えば、一つの調光装置（図２の例では例えば１Ａ）で一つの調光制御対象（例えばスタジオＡ）を制御しているとき、間違って他の調光制御対象（スタジオＢ）へのシーンを再生すると問題となるが、一つの調光装置（１Ａ）で一つの調光制御対象（スタジオＡ）を制御しているとき、一つの調光装置（１Ａ）から他の調光制御対象（スタジオＢ）へのシーン再生制御を禁止することにより、そのような問題が起きるのを防止することができる。
【００１９】
請求項７記載の発明は、請求項１から５のいずれかに記載の調光システムにおいて、前記調光装置は、一括制御単位のフェーダに、異なる調光制御対象を割り当てることを禁止し、同一の調光制御対象を割り当てることを許容することを特徴とする。この構成では、制御単位が異なる調光制御対象に跨ることによる混乱を最小限に抑えることができる。例えば、複数の調光制御対象を制御できるようにした場合、フェーダ毎に制御する負荷を接続するが、別の調光制御対象の負荷を１本のフェーダに接続すると、明かりの調整に不備が生じるため、それを禁止することが望ましい。すなわち、調光装置（図２の例では例えば１Ａ）のＣＨ１に調光制御対象（例えばスタジオＡ）の負荷を接続している場合、追加で他の調光制御対象（スタジオＢ）の負荷を接続することができないようにすることにより、他の調光制御対象（スタジオＢ）の負荷は別のＣＨを使用することになる。また、１台の調光装置で複数の調光制御対象を制御できるため、仮に一つの調光装置が故障したとしても、別の調光装置で複数の調光制御対象を制御することにより、緊急的な対処が可能となる。
【００２０】
請求項８記載の発明は、請求項１から７のいずれかに記載の調光システムにより実行される調光方法であって、前記複数の調光装置の各処理部が、自己の通信部を介して他の調光装置と通信をし、その他の調光装置の記憶部に記憶されるその調光制御下のデータを同期的に取得して自己の記憶部に記憶し、前記複数の調光装置が備える複数の照明負荷を、前記複数の調光装置の各々の調光制御下に含めることを特徴とする。この方法では、一つの調光装置が操作不能となったとしても、他の調光装置によりその一つの調光装置の調光制御下にある複数の照明負荷を調光制御することができ、変更されたデータを各調光装置に素早く反映させることができる。
【発明の効果】
【００２１】
本発明によれば、複数の調光装置にて複数の調光制御対象を制御することができるとともに、一つの調光装置が操作不能となったとしても、他の調光装置によりその一つの調光装置の調光制御下にある複数の照明負荷を調光制御することができ、変更されたデータを各調光装置に素早く反映させることができる。
【発明を実施するための最良の形態】
【００２２】
（実施形態１）
図１は本発明による実施形態１の調光システムの構成図である。
【００２３】
実施形態１の調光システムは、劇場の舞台やテレビスタジオなどで照明演出用に使用されるものであり、図１に示すように、複数（図では２つ）の調光装置１，１と、合成分配器２と、複数（図では２つ）の調光盤３，３とを備えているとともに、複数の照明負荷によりなる負荷４を複数（図では２グループ）備えている。
【００２４】
調光装置１は、本来的に負荷４，４のうち一つの負荷４を調光制御下におくものであり、ＭＭＩ部１１と、データ記憶部１２と、制御信号出力部１３と、卓間通信部１４と、中央処理（ＣＰＵ）部１０とにより構成されている。
【００２５】
ＭＭＩ部１１は、操作入力用のマンマシンインタフェースであり、プリセットフェーダやサブマスタフェーダなどのフェーダ、これに設けられる発光ダイオード、および液晶ディスプレイなどにより構成される。
【００２６】
データ記憶部１２は、例えば読み書き可能な不揮発性の半導体記憶装置またはハードディスク装置などにより構成され、調光制御対象である負荷４を構成する複数の照明負荷の各々に対して少なくともＭＭＩ部１１の操作入力により設定される調光レベルの組合せで決まるシーンのデータを各種記憶する。
【００２７】
制御信号出力部１３は、例えばＤＭＸ５１２などのライティング制御を行う通信規格に準拠した制御信号を出力するものであり、複数の照明負荷の各々に向けて、対応する調光レベル（消灯およびフル点灯レベル含む）を含む制御信号を出力する。
【００２８】
ここで、制御信号には、調光レベルのデータとともにその調光レベルに調光するべき照明負荷を特定するためのグループデータおよびＣＨ（チャンネル）データが含められる。そして、合成分配器２は、各制御信号出力部１３から制御信号を受信すると、グループデータおよびＣＨデータを基に、各制御信号を合成して、調光制御対象の負荷４が接続された調光盤３に送信する。調光盤３は、合成分配器２からの制御信号に従って、制御下の負荷４における各照明負荷の調光制御を実行する。なお、合成処理は、例えばＭＡＸ（ａ，ｂ）のハイエスト演算により、ａ，ｂのうちの高い方の調光レベルをとるように実行される。より具体的には、一方の調光装置１からの調光レベル１１，１２，…１ｎと、他方の調光装置１からの調光レベル２１，２２，…２ｎとをそれぞれ上記ハイエスト演算により個々に合成するのである。そして、合成後の調光レベルは、グループデータおよびＣＨデータを基に、調光盤３における対応する調光器に分配される。
【００２９】
卓間通信部１４は、例えば、ＲＳ４８５などのシリアル通信またはＩＥＥＥ８０２．３などのＬＡＮ通信により、他の調光装置１と相互通信をするためのものである。なお、通信は、ＴＣＰ／ＩＰなどの他の通信方式でもよい。
【００３０】
中央処理部１０は、調光装置１ないし調光システム全般の制御などの処理を実行するものであり、例えば、データ記憶部１２に記憶されるデータの編集処理をＭＭＩ部１１の操作入力に従って実行する。また、ＭＭＩ部１１の操作入力およびデータ記憶部１２に記憶されるデータに基づいて、制御信号出力部１３から出力するべき制御信号を生成する処理が実行される。そして、卓間通信部１４を介して他の調光装置１と通信をし、その他の調光装置１のデータ記憶部１２に記憶されるその調光制御下のデータを同期的に取得して自己のデータ記憶部１２に記憶し、複数の調光装置１が備える複数の照明負荷を、複数の調光装置１の各々の調光制御下に含めるように構成される。
【００３１】
次に上記調光システムの特徴となる動作について説明する。各調光装置１のデータ記憶部１２には、卓間通信部１４を介して、他の調光装置１のデータ記憶部１２から同期的に取得されたデータが記憶される。そして、複数の調光装置１が備える複数の照明負荷が、複数の調光装置１の各々の調光制御下に含められる。
【００３２】
このように、各調光装置１の調光制御下にある複数の照明負荷を、他の調光装置１の調光制御下に含めることにより、複数の調光装置１，１にて複数の調光制御対象を制御することができるとともに、複数の調光装置１，１のうち、一つの調光装置１が操作不能となったとしても、他の調光装置１によりその一つの調光装置１の調光制御下にある複数の照明負荷を調光制御することができる。また、各調光装置１が他の調光装置１のデータ記憶部１２に記憶されるその調光制御下のデータを同期的に取得することにより、変更されたデータを各調光装置１に素早く反映させることができる。
【００３３】
なお、実施形態１の調光システムは、調光装置１を２つ備える構成になっているが、本発明の調光システムは、２つないし３つ以上の複数の調光装置を備える構成でもよいことは言うまでもない。
【００３４】
（実施形態２）
図２は本発明による実施形態２の調光システムの構成図である。ただし、図２には、複数の調光装置１，１にそれぞれ識別用の符号１Ａ，１Ｂを併記してあり、説明を明確にするべく、それら符号１Ａ，１Ｂを適宜使用する。
【００３５】
実施形態２の調光システムは、図２に示すように、実施形態１と同様に構成され、各調光装置１の中央処理部１０が、当該調光装置１のＭＭＩ部１１の操作入力および当該調光装置１のデータ記憶部１２に記憶されるデータに基づいて、複数の調光装置１，１の各調光制御下にある複数の照明負荷のうち、任意の照明負荷を制御するほか、当該調光装置１のＭＭＩ部１１での干渉防止操作入力に応じて、本来的に他の調光装置１の調光制御下にある複数の照明負荷に対する制御を禁止することを特徴とする。
【００３６】
上記構成の調光システムでは、図２の例に示すように、スタジオＡ，Ｂにそれぞれ負荷４，４が設けられる場合、複数の調光装置１，１のうち、本来的にスタジオＡの負荷４を調光制御下におく一方の調光装置１Ａは、このＭＭＩ部１１でのスタジオＡの負荷４に対する操作入力に応じて、調光装置１Ａのデータ記憶部１２のデータを基にスタジオＡの負荷４を調光制御する。同様に、本来的にスタジオＢの負荷４を調光制御下におく他方の調光装置１Ｂは、このＭＭＩ部１１でのスタジオＢの負荷４に対する操作入力に応じて、調光装置１Ｂのデータ記憶部１２のデータを基にスタジオＢの負荷４を調光制御する。
【００３７】
また、いずれの調光装置１も、ＭＭＩ部１１でのスタジオＡ，Ｂの負荷４，４に対する操作入力に応じて、そのデータ記憶部１２のデータを基にスタジオＡ，Ｂの負荷４，４を調光制御する。これにより、複数の調光装置１，１のいずれによっても、調光システム内の任意の照明負荷を制御することができる。また、一方の調光装置１Ａが負荷４，４の双方を調光制御している場合に、他方の調光装置１Ｂにおいて、このＭＭＩ部１１を通してシーンのデータの編集（仕込み操作）をすることができる。
【００３８】
さらに、一方の調光装置１ＡがスタジオＡの負荷４を調光制御している場合、他方の調光装置１ＢのＭＭＩ部１１で干渉防止操作をすることにより、他方の調光装置１Ｂの調光制御下にある複数の照明負荷に対する制御が禁止され、制御信号が出力されなくなる。これにより、同一の照明負荷が複数の調光装置１，１により制御され、その制御に干渉が生じるのを防止することができる。
【００３９】
（実施形態３）
図３は本発明による実施形態３の調光システムにおける各調光装置間のデータ同期の説明図である。ただし、図３には、複数の調光装置１，１にそれぞれ識別用の符号１Ａ，１Ｂを併記してあり、説明を明確にするべく、それら符号１Ａ，１Ｂを適宜使用する。
【００４０】
実施形態３の調光システムは、実施形態１，２との相違点として、図３に示すように、各調光装置１のデータ記憶部１２に他のデータ記憶部１２のデータの全てを同期的に記憶することを特徴とする。つまり、調光装置１のデータ記憶部１２に記憶されるシーンのデータには、当該調光装置１の調光制御下にある複数の照明負荷に対する専用シーンのデータと、他の調光装置１の調光制御下にある複数の照明負荷と共用される共通シーンのデータとがあり、複数の調光装置１，１の各データ記憶部１２には、他の調光装置１のデータ記憶部１２に記憶される専用シーンのデータも同期的に記憶されるのである。また、専用シーンのデータは、これにより制御される照明負荷を本来的に調光制御下におく調光装置１による編集（仕込み）処理のみが許容され、その他の調光装置１による編集処理は禁止される。
【００４１】
次に上記調光システムの特徴となる動作について説明する。例えば、調光装置１Ａにおいて、共通シーンの仕込み操作がなされると（Ｓ１）、中央処理部１０がその仕込み操作に応じてデータ記憶部１２の共通シーンのデータを更新する処理を行う。続いて、中央処理部１０は、卓間通信部１４を介して、更新した共通シーンのデータ（グループデータ、ＣＨデータおよび調光レベルデータを含む）を調光装置１Ｂに送信する処理を行う。
【００４２】
調光装置１Ｂにおいて、中央処理部１０が、調光装置１Ａから卓間通信部１４を介して共通シーンのデータを受信すると、これをデータ記憶部１２に記憶する処理を行う。これにより、調光装置１Ａ，１Ｂの各々において、共通シーンのデータがデータ記憶部１２に同期的に記憶されることになる。
【００４３】
同様に、調光装置１Ｂにおいて、共通シーンの仕込み操作がなされると（Ｓ２）、上記と同じような動作により、共通シーンのデータが各データ記憶部１２に同期的に記憶されることになる。
【００４４】
調光装置１Ａにおいて、当該調光装置１Ａの専用シーンの仕込み操作がなされると（Ｓ３）、中央処理部１０がその仕込み操作に応じてデータ記憶部１２の専用シーンのデータを更新する処理を行う。続いて、中央処理部１０は、卓間通信部１４を介して、更新した専用シーンのデータを調光装置１Ｂに送信する処理を行う。
【００４５】
調光装置１Ｂにおいて、中央処理部１０が、調光装置１Ａから卓間通信部１４を介して専用シーンのデータを受信すると、これをデータ記憶部１２に記憶する処理を行う。これにより、調光装置１Ａ，１Ｂの各々において、専用シーンのデータがデータ記憶部１２に同期的に記憶されることになる。この後、調光装置１Ａの専用シーンの仕込み操作をしようとしても（Ｓ４）、その仕込み操作が禁止されることにより、データ記憶部１２における調光装置１Ａの専用シーンのデータは変更されない。
【００４６】
同様に、調光装置１Ｂにおいて、当該調光装置１Ｂの専用シーンの仕込み操作がなされると（Ｓ５）、その仕込み操作に応じて、調光装置１Ｂ，１Ａのデータ記憶部１２，１２の専用シーンのデータが同期的に順次更新される。またこの後、調光装置１Ａにおいて、調光装置１Ｂの専用シーンの仕込み操作をしようとしても（Ｓ６）、そのデータは変更されない。
【００４７】
以上、各調光装置１のデータ記憶部１２に他のデータ記憶部１２のデータの全てを同期的に記憶することにより、つまり、複数の調光装置１，１の各データ記憶部１２に、他の調光装置１のデータ記憶部１２に記憶される専用シーンのデータも記憶することにより、複数の調光装置１，１の各データ記憶部１２に記憶されたデータをバックアップすることができる。
【００４８】
（実施形態４）
図４，図５は本発明による実施形態４の調光システムにおける各調光装置間のデータ同期の説明図である。ただし、図４，図５には、複数の調光装置１，１にそれぞれ識別用の符号１Ａ，１Ｂを併記してあり、説明を明確にするべく、それら符号１Ａ，１Ｂを適宜使用する。
【００４９】
実施形態４の調光システムは、実施形態１から３のいずれかとの相違点として、各調光装置１の中央処理部１０が、当該ＭＭＩ部１１の操作入力に従って、データ記憶部１２に記憶されるデータの編集処理を実行する場合、他の調光装置１におけるシーンの使用状況により上記編集処理を制限することを特徴とする。
【００５０】
次に上記調光システムの特徴となる動作について説明する。先ず編集処理が制限されない場合の動作について図４を参照しながら説明する。例えば、調光装置１Ａにおいて、操作者によりシーンの仕込み操作がなされると（Ｓ１０）、中央処理部１０がその仕込み操作を許容するか否かを決定するために該当シーンのデータが変更可能状態にあるか否かを確認するための問合せ電文を卓間通信部１４を介して調光装置１Ｂに送信する処理を行う（Ｓ１１）。
【００５１】
調光装置１Ｂにおいて、中央処理部１０が、調光装置１Ａから卓間通信部１４を介して上記問合せ電文を受信すると、該当シーンのデータが変更可能状態にあるか否かの判定条件に基づいて、該当シーンのデータが変更可能状態にある否かを判定する処理を行う。ここでは、例えば該当シーンのデータを再生しておらず、該当シーンの仕込み操作がなされていないことにより、該当シーンのデータが変更可能状態にあると判定される。この後、中央処理部１０は、卓間通信部１４を介して、該当シーンのデータが変更可能状態にあることを通知するための応答電文を調光装置１Ａに送信する処理を行う（Ｓ１２）。
【００５２】
調光装置１Ａにおいて、中央処理部１０が、調光装置１Ｂから卓間通信部１４を介して上記応答電文を受信すると、Ｓ１０での仕込み操作を許容し、該当シーンのデータをデータ記憶部１２に記憶する処理を行う（Ｓ１３）。続いて、中央処理部１０は、卓間通信部１４を介して、該当シーンのデータを調光装置１Ｂに送信する処理を行う（Ｓ１４）。
【００５３】
調光装置１Ｂにおいて、中央処理部１０が、調光装置１Ａから卓間通信部１４を介して該当シーンのデータを受信すると、これをデータ記憶部１２に記憶する処理を行う（Ｓ１５）。この後、中央処理部１０は、卓間通信部１４を介して、該当シーンのデータの更新完了を通知するための電文を調光装置１Ａに送信する処理を行う（Ｓ１６）。
【００５４】
調光装置１Ａにおいて、中央処理部１０が、調光装置１Ｂから卓間通信部１４を介して上記電文を受信すると、例えばＭＭＩ部１１の液晶ディスプレイなどにより、該当シーンのデータが調光装置１Ａ，１Ｂの各データ記憶部１２に同期的に記憶された旨を明示する処理を行う（Ｓ１７）。
【００５５】
次に編集処理が制限される場合の動作について図５を参照しながら説明する。例えば、調光装置１Ａにおいて、操作者によりシーンの仕込み操作がなされると（Ｓ２０）、中央処理部１０がその仕込み操作を許容するか否かを決定するために該当シーンのデータが変更可能状態にあるか否かを確認するための問合せ電文を卓間通信部１４を介して調光装置１Ｂに送信する処理を行う（Ｓ２１）。
【００５６】
調光装置１Ｂにおいて、中央処理部１０が、調光装置１Ａから卓間通信部１４を介して上記問合せ電文を受信すると、該当シーンのデータが変更可能状態にあるか否かの判定条件に基づいて、該当シーンのデータが変更可能状態にある否かを判定する処理を行う。ここでは、例えば該当シーンのデータの再生中ないし再生待機中、または該当シーンの仕込み操作がなされていることにより、該当シーンのデータが変更不可状態にあると判定される。この後、中央処理部１０は、卓間通信部１４を介して、該当シーンのデータが変更不可状態にあることを通知するための応答電文を調光装置１Ａに送信する処理を行う（Ｓ２２）。
【００５７】
調光装置１Ａにおいて、中央処理部１０が、調光装置１Ｂから卓間通信部１４を介して上記応答電文を受信すると、Ｓ１０での仕込み操作を禁止し、その旨を例えばＭＭＩ部１１の液晶ディスプレイなどにより明示する処理を行う（Ｓ２３）。これにより、データ記憶部１２のデータを基に調光制御されている調光制御対象の明るさが、そのデータによる明るさとは異なる明るさに変化することを防止することができる。
【００５８】
（実施形態５）
図６，図７は本発明による実施形態５の調光システムにおける各調光装置間のデータ同期の説明図である。
【００５９】
実施形態５の調光システムは、実施形態１から４のいずれかとの相違点として、データ記憶部１２のデータを再生ないし編集する場合に、キャッシュを利用することを特徴とする。なお、図７において、「キャッシュ１」は調光装置１Ａのキャッシュ、「ＤＢ１」は調光装置１Ａのデータ記憶部１２を示す。また、「キャッシュ２」は調光装置１Ｂのキャッシュ、「ＤＢ２」は調光装置１Ｂのデータ記憶部１２を示す。
【００６０】
次に上記調光システムの特徴となる動作について説明する。図７（ａ）に示すように、「キャッシュ１」、「ＤＢ１」、「キャッシュ２」、「ＤＢ２」の全ての内容が一致している状態で、例えば、調光装置１Ａにおいて、操作者によりシーンの仕込み操作がなされると（図６のＳ３０）、中央処理部１０がその仕込み操作に応じて「キャッシュ１」の該当シーンのデータを更新する処理を行う（Ｓ３１）。これにより、図７（ｂ）に示すように、「キャッシュ１」の内容が変わる。
【００６１】
調光装置１Ｂにおいて、操作者によりシーンの再生操作がなされると（Ｓ３２）、中央処理部１０がその再生操作に応じて「キャッシュ２」の所望のデータを再生する処理を行う（図７（ｃ））。
【００６２】
調光装置１Ａにおいて、操作者によりＳ３０の仕込み操作によるシーンのデータを記憶する操作がなされると（Ｓ３３）、中央処理部１０がその操作に応じて「キャッシュ１」のデータをデータ記憶部１２に記憶する処理を行う（Ｓ３４，図７（ｄ））。続いて、中央処理部１０は、卓間通信部１４を介して、変更したデータを調光装置１Ｂに送信する処理を行う（Ｓ３５）。
【００６３】
調光装置１Ｂにおいて、中央処理部１０が、調光装置１Ａから卓間通信部１４を介して上記データを受信すると、これをデータ記憶部１２に記憶する処理を行う（Ｓ３６，図７（ｅ））。この後、中央処理部１０は、卓間通信部１４を介して、該当データの更新完了を通知するための電文を調光装置１Ａに送信する処理を行う（Ｓ３７）。
【００６４】
調光装置１Ａにおいて、中央処理部１０が、調光装置１Ｂから卓間通信部１４を介して上記電文を受信すると、例えばＭＭＩ部１１の液晶ディスプレイなどにより、該当データが調光装置１Ａ，１Ｂの各データ記憶部１２に同期的に記憶された旨を明示する処理を行う（Ｓ３９）。
【００６５】
調光装置１Ｂにおいて、操作者によりシーンの再生終了操作がなされると（Ｓ３９）、中央処理部１０がその操作に応じてデータ記憶部１２のデータを「キャッシュ２」に記憶する処理を行う（Ｓ４０，図７（ｇ））。なお、「ＤＢ２」のデータを「キャッシュ２」に記憶するタイミングは、再生終了直後に限らず、再生開始直前でもよい。
【００６６】
以上のようにキャッシュを利用することにより、確定したデータを未確定のデータから分離することができ、確定したデータを好適に保護することができるとともに、未確定の状態から前の確定の状態に戻す処理が格段に容易となる。
【００６７】
ところで、別の変形例（同期確認の例）として、各調光装置１のデータ同期がとれていないことを、同期通信が達成できなかった場合に検出するようにしてもよい。同期通信が達成できなかった場合の例としては、ある調光装置１でのデータ変更時に他の調光装置１と通信ができない場合（タイムアウト含む）、通信ができる状態でも他の調光装置１から同期がとれていない旨の電文を受けた場合などが挙げられる。逆に、同期通信が達成できている場合の例としては、通信が確立している状態でのオールクリア処理時、通信が確立している状態でのフロッピー（Ｒ）ディスクなどからのデータロード処理時、通信が確立している状態での同期処理時などが挙げられる。
【００６８】
また、他の変形例（同期処理例）として、各調光装置１のデータ同期がとれていない場合、例えば図２などの構成において、調光装置１Ｂの全データを調光装置１Ａにコピーすることにより、再度完全に同期をとるようにしてもよい。
【００６９】
また、他の変形例（同期処理例）として、各調光装置１のデータ記憶部１２にデータ変更履歴を記憶すれば、同期が外れた場合に変更履歴に差が発生するので、その差が発生したときに同期処理を実行することができる。例えば、同期が外れた後、一方のデータ変更履歴のみ追加されている場合、追加されている調光装置の変更履歴に従って追加されていない調光装置１のテータを変更するようにすればよい。あるいは、同期が外れた後、双方のデータ変更履歴がそれぞれ追加されている場合、それぞれ独立してデータを変更しており、時系列とデータ関連の整合が取れないため、上記別の変形例と同様に、どちらか一方の調光装置１の全データを他方の調光装置１にコピーすればよい。
【００７０】
また、他の変形例（ＦＤＤ保存・読込み例）として、仕込みデータをフロッピー（Ｒ）ディスクなどの二次記憶メディアに保存する場合は、いずれかの調光装置１で記憶処理を実行するようにしてもよい。調光装置１は他の調光装置１のデータをも保持しているので、記憶データは複数の調光装置１を連動させる調光システム全体のデータとなる。二次記憶メディアからのデータ読込み処理は、その調光装置１のデータを書き換えると同時に、他の調光装置１のデータを書き換えることにより、同期がとれた状態にする。他の調光装置１がデータを利用して再生している場合は、フロッピー（Ｒ）ディスクのデータをロードできないようにする。
【００７１】
さらに、他の変形例（ＦＤＤ保存・読込み例）として、ある調光装置１において、フロッピー（Ｒ）ディスクのデータをロードする場合、他の調光装置１がデータを利用して再生しているとき、他の調光装置１との同期を外してロードする構成でもよい。
【００７２】
（実施形態６）
図８は本発明による実施形態６の調光システムにおける各調光装置のＭＭＩ部に含まれるサブマスタフェーダを示す図である。ただし、図８には、複数の調光装置１，１にそれぞれ識別用の符号１Ａ，１Ｂを併記し、互いに対応するサブマスタフェーダ１１０，１１０にそれぞれ識別用の符号１１０Ａ，１１０Ｂを併記してあり、説明の便宜上、それら併記した符号を適宜使用する。
【００７３】
実施形態６の調光システムは、実施形態１から５のいずれかとの相違点として、図８に示すように、各調光装置１のＭＭＩ部１１に複数（例えば２０）のサブマスタフェーダ１１０を含み、各調光装置１の複数のサブマスタフェーダ１１０が他の調光装置１の複数のサブマスタフェーダ１１０とそれぞれ対応付けられ、各サブマスタフェーダ１１０に対するシーンの割当てが他の調光装置１における対応するサブマスタフェーダ１１０に対するシーンの割当て状況に応じて調整されることを特徴とする。
【００７４】
図８の例において、一方の調光装置１Ａのサブマスタフェーダ１１０Ａ（チャンネル、ウィールなど制御対象器具をグループ化し、一括制御する単位）に共通シーンを割り当てると、そのサブマスタフェーダ１１０Ａに共通シーンを割り当てるためのデータが調光装置１Ａの卓間通信部１４から他方の調光装置１Ｂに送信され、この中央処理部１０が、上記データを基に、調光装置１Ｂにおけるサブマスタフェーダ１１０Ａに対応するサブマスタフェーダ１１０Ｂに、上記共通シーンを割り当てるように構成される。
【００７５】
また、一方の調光装置１Ａのサブマスタフェーダ１１０Ａに調光装置１Ａの専用シーンを割り当てると、調光装置１Ｂのサブマスタフェーダ１１０Ｂには調光装置１Ｂの専用シーンの割当てのみが許容されるように構成される。これにより、制御単位が異なる場に跨ることによる混乱を最小にできる。
【００７６】
さらに、サブマスタフェーダ１１０に割り当てられたシーンの割当て解除については、そのシーンが再生されている場合にはそのシーンの割当て解除は禁止され、そのシーンが再生されていない場合には許容されるように構成される。
【００７７】
そして、各調光装置１のサブマスタフェーダ１１０毎に、当方側のサブマスタフェーダ１１０に対するシーンの割当て再生状況を示す当方タリーＬＥＤ１１１（２色）と、当方側のサブマスタフェーダ１１０に対応する他の調光装置１におけるサブマスタフェーダ１１０の状況を示す他方タリーＬＥＤ１１２（２色）とが具備される。
【００７８】
当方タリーＬＥＤ１１１は、当方側のサブマスタフェーダ１１０に対して、シーンが割り当てられていない場合に消灯し、シーンが割り当てられた場合に点灯するようになっている（後述の図９参照）。また、当方タリーＬＥＤ１１１は、点灯する場合、シーンの再生中に赤色点灯し、再生待機（再生していない）時に緑色点灯する。
【００７９】
他方タリーＬＥＤ１１２は、当方側のサブマスタフェーダ１１０およびこれに対応する他の調光装置１におけるサブマスタフェーダ１１０の双方に対して、シーンが割り当てられていない場合、または当方側のサブマスタフェーダ１１０に対して専用シーンが割り当てられている場合に消灯する一方、当方側のサブマスタフェーダ１１０に対してシーンが割り当てられていない場合、または当方側のサブマスタフェーダ１１０およびこれに対応する他の調光装置１におけるサブマスタフェーダ１１０の双方に対して、共通シーンが割り当てられている場合に点灯するようになっている。また、他方タリーＬＥＤは、点灯する場合、シーンの再生中に赤色点灯し、再生待機（再生していない）時に緑色点灯する。
【００８０】
図９にシーンをサブマスタフェーダに割当てる場合の一具体例を示す。「状態１」の場合に、当方側の調光装置１において、当方側のサブマスタフェーダ１１０に対して専用シーンを割り当てると、当方側のサブマスタフェーダ１１０に対して専用シーンが割り当てられた「状態４」となり、当方タリーＬＥＤ１１１が緑色点灯し、他方タリーＬＥＤ１１２が消灯状態を維持する。これに対し、共通シーンを割り当てると、当方側のサブマスタフェーダ１１０およびこれに対応する他の調光装置１におけるサブマスタフェーダ１１０の双方に対して共通シーンが割り当てられた「状態１０」となり、当方タリーＬＥＤ１１１および他方タリーＬＥＤ１１２がともに緑色点灯する。
【００８１】
「状態２」の場合に、当方側の調光装置１において、当方側のサブマスタフェーダ１１０に対して専用シーンを割り当てると、当方側のサブマスタフェーダ１１０に対して専用シーンが割り当てられた「状態６」となり、当方タリーＬＥＤ１１１が緑色点灯し、他方タリーＬＥＤ１１２が消灯する。これに対し、共通シーンを割り当てようとしても、当方側のサブマスタフェーダ１１０に対応する他の調光装置１におけるサブマスタフェーダ１１０に対して専用シーンが割り当てられていることにより、専用シーンの割当てのみが許容される状態であるので、その共通シーンの割当ては許容されない。この他の組合せについては図９に示す通りである。
【００８２】
以上のような各実施形態によれば、一つの調光装置１が操作不能になっても、一つの調光装置１を他の調光装置１で代行させることができる。他の調光装置１の操作状況に関わらず、当方側の調光装置１で仕込みや再生操作ができる。複数の調光装置１で同時再生する場合、それぞれの調光装置１の専用シーンを用いることによって、調光装置１の役割を明確にすることができる。複数の調光装置１で同時再生する場合、他方の調光装置１の担当エリアへの干渉を無くすことができる。他方の調光装置１の再生状態を当方の調光装置１で確認できる。複数の調光装置１が複数の場（スタジオなど）へ任意に制御できることによって、他方で演出中に仕込み操作を行え、場を組み合わせた複雑な演出を行うことができる。
【００８３】
なお、実施形態６の変形例として、図１０に示すように、各サブマスタフェーダ１１０に対して、現在割り当てられているシーンの番号やコメントを表示する当方シーン表示器１１３および他方シーン表示器１１４をさらに具備するようにしてもよい。各表示器は、例えば５×７ドットのＬＥＤや、ＬＣＤにより構成することができる。
【図面の簡単な説明】
【００８４】
【図１】本発明による実施形態１の調光システムの構成図である。
【図２】本発明による実施形態２の調光システムの構成図である。
【図３】本発明による実施形態３の調光システムにおける各調光装置間のデータ同期の説明図である。
【図４】本発明による実施形態４の調光システムにおける各調光装置間のデータ同期の説明図である。
【図５】同調光システムにおける各調光装置間のデータ同期の説明図である。
【図６】本発明による実施形態５の調光システムにおける各調光装置間のデータ同期の説明図である。
【図７】同調光システムにおける各調光装置間のデータ同期の説明図である。
【図８】本発明による実施形態６の調光システムにおける各調光装置のＭＭＩ部に含まれるサブマスタフェーダを示す図である。
【図９】シーンをサブマスタフェーダに割当てる場合の一具体例を示す図である。
【図１０】実施形態６の変形例を示す図である。
【図１１】従来の調光システムの構成図である。
【図１２】異なる従来の調光システムの構成図である。
【図１３】さらに異なる従来の調光システムの構成図である。
【符号の説明】
【００８５】
１  調光装置
１０  中央処理部
１１  ＭＭＩ部
１２  データ記憶部
１３  制御信号出力部
１４  卓間通信部
２  合成分配器
３  調光盤
４  負荷
【図１】
2005100806.tif 000003
【図２】
2005100806.tif 000004
【図３】
2005100806.tif 000005
【図４】
2005100806.tif 000006
【図５】
2005100806.tif 000007
【図６】
2005100806.tif 000008
【図７】
2005100806.tif 000009
【図８】
2005100806.tif 000010
【図９】
2005100806.tif 000011
【図１０】
2005100806.tif 000012
【図１１】
2005100806.tif 000013
【図１２】
2005100806.tif 000014
【図１３】
2005100806.tif 000015